(57)【要約】      （修正有）【課題】イノシシや鹿、熊等の夜間活動をする害獣に対し効果的な威嚇装置を提供する。【解決手段】青色を基本とする発光色の組合せの高出力ＬＥＤ（紫外線ＬＥＤを含む）及び偏向反射板を使用した発光装置１をフラッシャー（点滅器）２により、点滅及び複数のＬＥＤの交互点滅を行い、複雑かつ不規則な光を発生させ、ポールの頂上部より田、畑、植林地等の耕作区画地に向け広範囲に照射する事により、害獣等の視界をかく乱し、その活動を制限、威嚇する。プログラムタイマー６及び明るさセンサースイッチ７を使用する事により、夕方から夜間、早朝までの動作時間の設定と自動制御の機能を備える。自然エネルギーの活用を推進し、日中ソーラーパネル３により発生した電力を、充電制御装置４を介し蓄電池５に自動充電する事で、夜間の長時間にわたる発光照射を安定かつ継続的に威嚇可能とする。【選択図】図３
0003220530.tif 000002
【実用新案登録請求の範囲】
【請求項１】
複数個の高出力ＬＥＤと、該高出力ＬＥＤに電力を供給する為の電源と、通電された前記高出力ＬＥＤからの光を反射させ、広範囲に照射するための偏向反射板とからなり、前記高出力ＬＥＤと前記偏向反射板は、ポールの頂上部に取り付けられたことを特徴とする害獣威嚇装置。
【請求項２】
前記複数個の高出力ＬＥＤは、青色を基本とする発光色の組合せからなることを特徴とする請求項１に記載の害獣威嚇装置。
【請求項３】
前記複数個の高出力ＬＥＤを点滅する為の点滅器を備えたことを特徴とする請求項１に記載の害獣威嚇装置。
【請求項４】
前記複数個の高出力ＬＥＤの動作時間を設定し自動制御する為の明るさセンサースイッチ及びプログラムタイマースイッチを備えたことを特徴とする請求項１に記載の害獣威嚇装置。
【請求項５】
前記電源は、ソーラー発電により充電された蓄電池又は商用電源であることを特徴とする請求項１に記載の害獣威嚇装置。
【考案の詳細な説明】
【技術分野】
【０００１】本考案はイノシシや鹿、熊等の夜間活動をする害獣に対する威嚇装置に関する。
【背景技術】
【０００２】近年イノシシや鹿、熊等の野生動物による農作物の食害や、田畑の掘り起こし等の被害が、特に山間部にて激増しており、農業を諦めるしかない状況になっている地域もある。その防止策として、より効果的な害獣威嚇装置が望まれている。
【先行技術文献】
【特許文献】
【０００３】
【特許文献１】特開２００８−９２９３７
【考案の概要】
【考案が解決しようとする課題】
【０００４】従来のライト点滅式の被害防止装置では、夜間に常時キラキラ光らせるものである為、害獣がその光に慣れてしまい、効果が長続きしない。またセンサー検出により、ＬＥＤを点滅させ害獣の侵入を防ぐ方法ではセンサーの検出範囲が限定される為、広い面積の田、畑等に於いてはその効果は狭い範囲に留まる。【０００５】本考案は、上記の問題点を解消し、青色を基本とする発光色の組合せの大光量のＬＥＤ（紫外線ＬＥＤを含む）及び偏向反射板を使用する事により、広い面積の田、畑等の耕作地全体を、複雑かつ不規則な点滅する光線により強力に照射し、夜間に活動する害獣等の視界をかく乱し、その活動を制限、更に、侵入をも予防するより効果的な害獣威嚇装置を提供する事を目的とする。
【課題を解決するための手段】
【０００６】本考案は、次の装置により構成されている。
１．ポール頂上部に設置された、青色−青色、青色−緑色、青色−赤色等、青色を基本とする発光色の組合せの高出力ＬＥＤ（紫外線ＬＥＤを含む）及び偏向反射板を使用した、複数の発光照射装置。
２．フラッシャー（点滅器）による、高出力ＬＥＤの点滅及び複数の高出力ＬＥＤの交互点滅装置。
３．プログラムタイマーによる動作時間設定装置、及び明るさセンサーによる日没検出装置。
４．上記プログラムタイマー、フラッシャー、高出力ＬＥＤへの電源供給装置
５．電源部は、高出力ＬＥＤによる夜間の長時間照射に対応する容量を持つ蓄電池、及びその充電制御装置、ソーラーパネルによる電力発生装置。
なお、日照の少ない設置状況では、商用電源を利用し、配電盤及びプログラムタイマー（ＡＣ）、ＤＣ電源装置を使用する。
上記５項目の装置を使用する事により、広い面積の田、畑等の耕作地全体を複雑かつ不規則に点滅する光線により、強力に照射し、夜間に活動する害獣等の視界をかく乱し、その活動を制限、更に侵入をも予防するより効果的な害獣威嚇装置を構成している。
【考案の効果】
【０００７】本考案は
１．ポール頂上部に設置した、青色を基本とする発光色の組合せの高出力ＬＥＤ（紫外線ＬＥＤを含む）及び偏向反射板を使用した発光部により田、畑等の耕作地全体を強力に照射し、より効果的に害獣を威嚇する。
２．上記の高出力ＬＥＤをフラッシャー（点滅器）にて点滅、及び複数のＬＥＤを交互点滅をすることにより、害獣等の視界をかく乱しその活動を制限、及び耕作地に侵入する害獣の威嚇効果を更に大きくする事が出来る。
３．プログラムタイマー及び明るさセンサースィッチの併用により年間を通して、害獣が活動する夕刻から翌朝までの害獣威嚇装置の動作を設定する事を可能としている。
４．ソーラーパネルにより、蓄電池を自動的に充電する事で夜間の長時間にわたる発光、照射を安定かつ継続的に害獣威嚇装置の動作を可能とし、自然エネルギーの活用効果も大きい。
【図面の簡単な説明】
【０００８】
【図１】本案をソーラーパネルによる電源を使用する場合の、実施例を示す回路構成図である。
【図２】本案を商用電源を使用する場合の実施例を示す回路構成図である。
【図３】本案をソーラーパネルを使用した電源装置を利用し、設置する場合の実施例である。
【図４】本案を商用電源（交流１００Ｖ）を使用して設置する場合の実施例である。
【図５】高出力ＬＥＤを偏向反射板に実装した場合の発光照射装置一例である。
【実施例】
【０００９】図１、図３に於いて、日中ソーラーパネル３にて発生した電力を、電源ボックス８内に組み込んだ充電制御装置４を介し、蓄電池５に充電、夕刻になるとプログラムタイマー６、明るさセンサースイッチ７が動作し、フラッシャー（点滅器）２に電源を供給する事により点滅動作を開始、ポールの頂上部に設置した二基の高出力ＬＥＤ照射装置１を起動し、広範囲の耕作地等を点滅照射する。翌朝、プログラムタイマー、明るさセンサースイッチが動作停止し待機状態となる。
参考
ソーラーパネルは定格出力３０ｗ〜５０ｗ
蓄電池容量  １２Ｖ  ２０Ａｈ〜３０Ａｈ
プログラムタイマー、明るさセンサースイッチ  １２Ｖ用
フラッシャー    ＤＣ１２Ｖ用
ＬＥＤ照射装置  青色発光（波長４６０ｎｍ〜４６５ｎｍ）
１２Ｖ１０Ｗ（光量３００〜４００ｌｍ）
支柱はソーラーパネル固定も兼ねているので、適度な強度が必要
設置場所の状況にもよるが、高さ３ｍ〜６ｍとなる。【００１０】図２、図４に於いて、家庭用商用電源（１００Ｖ）は支柱に取り付けられた配電ボックス１２に入り、プログラムタイマー９、明るさセンサースイッチ１０により、夕刻になると直流電源装置１１に電源を供給する事により、フラッシャー２が点滅動作を開始、ポールの頂上部に設置した二基の高出力ＬＥＤ照射装置１を起動し、広範囲の耕作地等を点滅照射する。翌朝、プログラムタイマー、明るさセンサースイッチが動作停止し、待機状態となる。
参考
プログラムタイマー、明るさセンサースイッチ  １００Ｖ用
直流電源装置    入力交流１００Ｖ  出力１２Ｖ３Ａ  ＤＣ
他、配電ボックス内に、回路遮断器の取付工事。
【産業上の利用可能性】
【００１１】  本考案は田、畑等の農業生産、及び植林事業に於いて野生動物のイノシシや鹿、熊等による生産物の食害や田畑の掘り起こし等の被害が、特に山間部にて激増しており、農業を諦めるしかない状況になっている地域もあり、その防止策として、より効果的な害獣威嚇装置が望まれている状況にあります。
本考案の、高出力ＬＥＤ照射装置を、ポール頂上部より田、畑、植林地等の耕作地全体に向け、複雑かつ不規則に点滅する光線により、強力に照射し、夜間に活動する害獣等の視界をかく乱し、その活動を制限、更に侵入をも予防する本装置の被害防止効果は、非常に期待出来るものが有ります。また，自然エネルギーの有効活用により、如何なる場所にも設置、導入可能な汎用性を備えています。
本装置の事業導入により、農林生産分野の生産性向上に大きく寄与出来るものと思われます。
【符号の説明】
【００１２】１、        ＬＥＤ照射装置
２、        フラッシャー（点滅装置）
３、        ソーラーパネル
４、        充電制御部（チャージコントローラー）
５、        蓄電池
６、        プログラムタイマー（直流用）
７、        明るさセンサースイッチ（直流用）
８、        電源ボックス
９、        プログラムタイマー（交流用）
１０、      明るさセンサースイッチ（交流用）
１１、      直流電源装置
１２、      配電ボックス
【図１】
0003220530.tif 000003
【図２】
0003220530.tif 000004
【図３】
0003220530.tif 000005
【図４】
0003220530.tif 000006
【図５】
0003220530.tif 000007